【手続補正書】
【提出日】平成16年7月29日(2004.7.29)
【手続補正１】
【補正対象書類名】明細書
【補正対象項目名】特許請求の範囲
【補正方法】変更
【補正の内容】
【特許請求の範囲】
【請求項１】  下記：
−真核細胞、特にヒト又はその他の哺乳動物の細胞、又は昆虫細胞、又は酵母のような微生物の細胞内のＷＡＳＰファミリータンパク質のペプチド断片であって、アクチンを重合させ細胞運動性を誘導するＷＡＳＰファミリータンパク質の特性を有するペプチド断片、
−又は、前記のＷＡＳＰファミリータンパク質のペプチド断片から、特にこれらの断片の１個以上のアミノ酸の置換により誘導されたペプチド配列であって、ＷＡＳＰファミリータンパク質及びそれらの断片の前記の特性を有するペプチド配列の、
アクチン細胞骨格の形成に対する阻害効果又は刺激効果を有し、それゆえに細胞運動性に対する阻害効果又は刺激効果を有する分子の検出又はスクリーニングのための方法の実施の枠内で使用されうる試薬の調製のための使用。
【請求項２】  下記：
−ヒト又はその他の哺乳動物のＷＡＳＰタンパク質、特にウシ又はマウスのＷＡＳＰタンパク質の断片、
−ヒト又はその他の哺乳動物のＮ−ＷＡＳＰタンパク質、特にウシ又はラットのＮ−ＷＡＳＰタンパク質の断片、
−ジクチオステリウム・ジスコイデウム（Dictyostellium discoideum)、又はケノラブジチス・エレガンス(Caenorhabditis elegans)、又はドロソフィラ・メラノガスター(Drosophila melanogaster)、マウス、又はヒトのＳｃａｒ１／ＷＡＶＥタンパク質のようなＳｃａｒサブファミリータンパク質の断片、
−サッカロミセス・セレビシエ（Saccharomyces cerevisiae）のＬＡＳ１７／Ｂｅｅ１タンパク質又はシゾサッカロミセス・ポンベ（Schizosaccharomyces pombe）のＷＡＳＰ相同タンパク質（Ｗｓｐ１ｐ）のような、微生物、特に酵母のＬａｓサブファミリーのタンパク質の断片
より選択されるペプチド断片の、請求項１に記載の使用。
【請求項３】  ペプチド断片が、下記：
−ＷＡＳＰファミリータンパク質もしくはこれらから誘導されたタンパク質に含まれるバープロリン相同ドメイン、又は該ＷＡＳＰファミリータンパク質が２個のバープロリン相同配列を含有している場合には、これらの配列のうちの少なくとも１個、又は前記のドメインから、特に１個以上のアミノ酸の置換、付加、もしくは除去により誘導され、かつアクチンと結合するというこのドメインの特性を保持しているペプチド配列、
−及び、ＷＡＳＰファミリータンパク質もしくはこれらから誘導されたタンパク質に含まれるコフィリン相同ドメイン、又は前記のドメインから、特に１個以上のアミノ酸の置換、付加、又は除去により誘導され、かつアクチン重合に介在するというこのドメインの特性を保持しているペプチド配列
を含むものより選択されることを特徴とする、請求項１又は２に記載の使用。
【請求項４】  下記：
−下記：
＊下記：
・図１に表されたヒトＷＡＳＰタンパク質の配列番号２のペプチド配列の４３０位及び４４６位に位置するアミノ酸によって区切られるバープロリン相同ドメイン、又は請求項３において定義されたような前記のドメインから誘導されたペプチド配列、
・及び、図１に表されたヒトＷＡＳＰタンパク質の配列番号２のペプチド配列の４６９位及び４８７位に位置するアミノ酸によって区切られるコフィリン相同ドメイン、又は請求項３において定義されたような前記のドメインから誘導されたペプチド配列
を含むもの、
＊Ｎ末端アミノ酸が図１における４０４〜４３０位のいずれかに位置するアミノ酸に相当し、かつＣ末端アミノ酸が図１における４８７〜５０２位のいずれかに位置するアミノ酸に相当する断片、
＊図１における４０４位及び５０２位に位置するアミノ酸を境界とする９９アミノ酸の断片、即ち以下の配列番号４のペプチド：
【表１】
2003534774.tif 000001
＊図１における４０４位及び４８７位に位置するアミノ酸を境界とする８４アミノ酸の断片、即ち以下の配列番号６のペプチド：
【表２】
2003534774.tif 000002
＊図１における４３０位及び５０２位に位置するアミノ酸を境界とする７３アミノ酸の断片、即ち以下の配列番号８のペプチド：
【表３】
2003534774.tif 000003
＊図１における４３０位及び４８７位に位置するアミノ酸を境界とする５８アミノ酸の断片、即ち以下の配列番号１０のペプチド：
【表４】
2003534774.tif 000004
より選択される、ヒトＷＡＳＰタンパク質の断片、
−下記：
＊下記：
・図２に表されたヒトＮ−ＷＡＳＰタンパク質の配列番号１２のペプチド配列の４０５位及び４２１位に位置するアミノ酸を境界とするバープロリン相同配列、又は請求項３において定義されたような前記のドメインから誘導されたペプチド配列、
・及び／又は、図２に表されたヒトＮ−ＷＡＳＰタンパク質の配列番号１２のペプチド配列の４３３位及び４４９位に位置するアミノ酸を境界とするバープロリン相同配列、又は請求項３において定義されたような前記のドメインから誘導されたペプチド配列、
・及び、前記のＮ−ＷＡＳＰタンパク質に含まれるコフィリン相同ドメイン、即ち図２に表されたヒトＮ−ＷＡＳＰタンパク質の配列番号１２のペプチド配列の４７０位及び４８８位に位置するアミノ酸を境界とするドメイン、又は請求項３において定義されたような前記のドメインから誘導されたペプチド配列を含むもの、
＊Ｎ末端アミノ酸が図２における３９２〜４３３位のいずれかに位置するアミノ酸に相当し、かつＣ末端アミノ酸が図２における４８８〜５０５位のいずれかに位置するアミノ酸に相当する断片、
＊図２における３９２位及び５０５位に位置するアミノ酸を境界とする１１４アミノ酸の断片、即ち以下の配列番号１４のペプチド：
【表５】
2003534774.tif 000005
＊図２における３９２位及び４８８位に位置するアミノ酸を境界とする９７アミノ酸の断片、即ち以下の配列番号１６のペプチド：
【表６】
2003534774.tif 000006
＊図２における４０５位及び５０５位に位置するアミノ酸を境界とする１０１アミノ酸の断片、即ち以下の配列番号１８のペプチド：
【表７】
2003534774.tif 000007
＊図２における４０５位及び４８８位に位置するアミノ酸を境界とする８４アミノ酸の断片、即ち以下の配列番号２０のペプチド：
【表８】
2003534774.tif 000008
＊図２における４３３位及び５０５位に位置するアミノ酸を境界とする７３アミノ酸の断片、即ち以下の配列番号２２のペプチド：
【表９】
2003534774.tif 000009
＊図２における４３３位及び４８８位に位置するアミノ酸を境界とする５６アミノ酸の断片、即ち以下の配列番号２４のペプチド：
【表１０】
2003534774.tif 000010
より選択される、ヒトＮ−ＷＡＳＰタンパク質の断片、
−下記：
＊下記：
・図３に表されたヒトＳｃａｒ１タンパク質の配列番号２６のペプチド配列の４９７位及び５１３位に位置するアミノ酸を境界とするバープロリン相同ドメイン、又は請求項３において定義されたような前記のドメインから誘導されたペプチド配列、
・及び、図３に表されたヒトＳｃａｒ１タンパク質の配列番号２６のペプチド配列の５３１位及び５４６位に位置するアミノ酸を境界とするコフィリン相同ドメイン、又は請求項３において定義されたような前記のドメインから誘導されたペプチド配列
を含むもの、
＊Ｎ末端アミノ酸が図３における４３３〜４９７位のいずれかに位置するアミノ酸に相当し、かつＣ末端アミノ酸が図３における５４６〜５５９位のいずれかに位置するアミノ酸に相当する断片、
＊図３における４４３位及び５５９位に位置するアミノ酸を境界とする１１７アミノ酸の断片、即ち以下の配列番号２８のペプチド：
【表１１】
2003534774.tif 000011
＊図３における４４３位及び５４６位に位置するアミノ酸を境界とする１０４アミノ酸の断片、即ち以下の配列番号３０のペプチド：
【表１２】
2003534774.tif 000012
＊図３における４９７位及び５５９位に位置するアミノ酸を境界とする６３アミノ酸の断片、即ち以下の配列番号３２のペプチド：
【表１３】
2003534774.tif 000013
＊図３における４９７位及び５４６位に位置するアミノ酸を境界とする５０アミノ酸の断片、即ち以下の配列番号３４のペプチド：
【表１４】
2003534774.tif 000014
より選択される、ヒトＳｃａｒ１タンパク質の断片、
−又は、ＷＡＳＰファミリータンパク質及びそれらの断片の、請求項１において定義された特性を有する、前記のペプチド断片から、特にこれらの断片の１個以上のアミノ酸の置換、付加、又は除去により誘導されたペプチド配列
より選択される、ヒト起源のＷＡＳＰファミリータンパク質のペプチド断片の、請求項１〜３のいずれかに記載の使用。
【請求項５】  下記：
●下記：
−下記：
＊下記：
・図４に表されたマウスＷＡＳＰタンパク質の配列番号３６のペプチド配列の４４８位及び４６５位に位置するアミノ酸を境界とするバープロリン相同ドメイン、又は請求項３において定義されたような前記のドメインから誘導されたペプチド配列、
・及び、図４に表されたマウスＷＡＳＰタンパク質の配列番号３６のペプチド配列の４８７位及び５０５位に位置するアミノ酸を境界とするコフィリン相同ドメイン、又は請求項３において定義されたような前記のドメインから誘導されたペプチド配列
を含むもの、
＊Ｎ末端アミノ酸が図４における４２０〜４４８位のいずれかに位置するアミノ酸に相当し、かつＣ末端アミノ酸が図４における５０５〜５２０位のいずれかに位置するアミノ酸に相当する断片、
＊図４における４２０位及び５２０位に位置するアミノ酸を境界とする１０１アミノ酸の断片、即ち以下の配列番号３８のペプチド：
【表１５】
2003534774.tif 000015
＊図４における４２０位及び５０５位に位置するアミノ酸を境界とする８６アミノ酸の断片、即ち以下の配列番号４０のペプチド：
【表１６】
2003534774.tif 000016
＊図４における４４８位及び５２０位に位置するアミノ酸を境界とする７３アミノ酸の断片、即ち以下の配列番号４２のペプチド：
【表１７】
2003534774.tif 000017
＊図４における４４８位及び５０５位に位置するアミノ酸を境界とする５８アミノ酸の断片、即ち以下の配列番号４４のペプチド：
【表１８】
2003534774.tif 000018
より選択される、マウスＷＡＳＰタンパク質の断片、
−下記：
＊下記：
・図５に表されたラットＮ−ＷＡＳＰタンパク質の配列番号４６のペプチド配列の４０１位及び４１７位に位置するアミノ酸を境界とするバープロリン相同配列、もしくは請求項３において定義されたような前記のドメインから誘導されたペプチド配列、
・及び／又は、図５に表されたラットＮ−ＷＡＳＰタンパク質の配列番号４６のペプチド配列の４２９位及び４４４位に位置するアミノ酸を境界とするバープロリン相同配列、又は請求項３において定義されたような前記のドメインから誘導されたペプチド配列、
・及び、前記Ｎ−ＷＡＳＰタンパク質に含まれるコフィリン相同ドメイン、即ち図５に表されたラットＮ−ＷＡＳＰタンパク質の配列番号４６のペプチド配列の４６６位及び４８４位に位置するアミノ酸を境界とするドメイン、又は請求項３において定義されたような前記のドメインから誘導されたペプチド配列
を含むもの、
＊Ｎ末端アミノ酸が図５における４０１〜４２９位のいずれかに位置するアミノ酸に相当し、かつＣ末端アミノ酸が図５における４８４〜５０１位のいずれかに位置するアミノ酸に相当する断片、
＊図５における４０１位及び５０１位に位置するアミノ酸を境界とする１０１アミノ酸の断片、即ち以下の配列番号４８のペプチド：
【表１９】
2003534774.tif 000019
＊図５における４０１位及び４８４位に位置するアミノ酸を境界とする８４アミノ酸の断片、即ち以下の配列番号５０のペプチド：
【表２０】
2003534774.tif 000020
＊図５における４２９位及び５０１位に位置するアミノ酸を境界とする７３アミノ酸の断片、即ち以下の配列番号５２のペプチド：
【表２１】
2003534774.tif 000021
＊図５における４２９位及び４８４位に位置するアミノ酸を境界とする５６アミノ酸の断片、即ち以下の配列番号５４のペプチド：
【表２２】
2003534774.tif 000022
より選択される、ラットＮ−ＷＡＳＰタンパク質の断片、
−下記：
＊下記：
・図６に表されたウシＮ−ＷＡＳＰタンパク質の配列番号５６のペプチド配列の４０５位及び４２１位に位置するアミノ酸を境界とするバープロリン相同ドメイン、又は請求項３において定義されたような前記のドメインから誘導されたペプチド配列、
・及び／又は、図６に表されたウシＮ−ＷＡＳＰタンパク質の配列番号５６のペプチド配列の４３３位及び４８８位に位置するアミノ酸を境界とするバープロリン相同ドメイン、又は請求項３において定義されたような前記のドメインから誘導されたペプチド配列、
・及び、図６に表されたウシＮ−ＷＡＳＰタンパク質の配列番号５６のペプチド配列の４７０位及び４８８位に位置するアミノ酸を境界とするコフィリン相同ドメイン、又は請求項３において定義されたような前記のドメインから誘導されたペプチド配列
を含むもの、
＊Ｎ末端アミノ酸が図６における４０５〜４３３位のいずれかに位置するアミノ酸に相当し、かつＣ末端アミノ酸が図６における４８８〜５０５位のいずれかに位置するアミノ酸に相当する断片、
＊図６における４０５位及び５０５位に位置するアミノ酸を境界とする１０１アミノ酸の断片、即ち以下の配列番号５８のペプチド：
【表２３】
2003534774.tif 000023
＊図６における４０５位及び４８８位に位置するアミノ酸を境界とする８４アミノ酸の断片、即ち以下の配列番号６０のペプチド：
【表２４】
2003534774.tif 000024
＊図６における４３３位及び５０５位に位置するアミノ酸を境界とする７３アミノ酸の断片、即ち以下の配列番号６２のペプチド：
【表２５】
2003534774.tif 000025
＊図６における４３３位及び４８８位に位置するアミノ酸を境界とする５６アミノ酸の断片、即ち以下の配列番号６４のペプチド：
【表２６】
2003534774.tif 000026
より選択される、ウシＮ−ＷＡＳＰタンパク質の断片
より選択される非ヒト哺乳動物ＷＡＳＰファミリータンパク質の断片、
●下記：
−下記：
＊下記：
・図７に表されたＬａｓ１７タンパク質の配列番号６６のペプチド配列の４４７位及び４６６位に位置するアミノ酸を境界とするバープロリン相同ドメイン、又は請求項３において定義されたような前記のドメインから誘導されたペプチド配列、
・及び、図７に表されたＬａｓ１７タンパク質の配列番号６６のペプチド配列の６０７位及び６２４位に位置するアミノ酸を境界とするコフィリン相同ドメイン、又は請求項３において定義されたような前記のドメインから誘導されたペプチド配列
を含むもの、
＊Ｎ末端アミノ酸が図７における４２２〜４４７位のいずれかに位置するアミノ酸に相当し、かつＣ末端アミノ酸が図７における６２４〜６３３位のいずれかに位置するアミノ酸に相当する断片、
＊図７における４２２位及び６３３位に位置するアミノ酸を境界とする２１２アミノ酸の断片、即ち以下の配列番号６８のペプチド：
【表２７】
2003534774.tif 000027
＊図７における４２２位及び６２４位に位置するアミノ酸を境界とする２０３アミノ酸の断片、即ち以下の配列番号７０のペプチド：
【表２８】
2003534774.tif 000028
＊図７における４４７位及び６３３位に位置するアミノ酸を境界とする１８７アミノ酸の断片、即ち以下の配列番号７２のペプチド：
【表２９】
2003534774.tif 000029
＊図７における４４７位及び６２４位に位置するアミノ酸を境界とする１７８アミノ酸の断片、即ち以下の配列番号７４のペプチド：
【表３０】
2003534774.tif 000030
より選択される、サッカロミセス・セレビシエＬａｓ１７タンパク質の断片、
−下記：
＊下記：
・図８に表されたシゾサッカロミセス・ポンベのＷＡＳＰ相同タンパク質タンパク質（Ｗｓｐ１ｐ）の配列番号７６のペプチド配列の５０１位及び５１７位に位置するアミノ酸を境界とするバープロリン相同ドメイン、又は請求項３において定義されたような前記のドメインから誘導されたペプチド配列、
・及び、図８に表されたシゾサッカロミセス・ポンベのＷＡＳＰ相同タンパク質タンパク質（Ｗｓｐ１ｐ）の配列番号７６のペプチド配列の５４８位及び５６５位に位置するアミノ酸を境界とするコフィリン相同ドメイン、又は請求項３において定義されたような前記のドメインから誘導されたペプチド配列
を含むもの、
＊Ｎ末端アミノ酸が図８における４７７〜５０１位のいずれかに位置するアミノ酸に相当し、かつＣ末端アミノ酸が図８における５６５〜５７４位のいずれかに位置するアミノ酸に相当する断片、
＊図８における４７７位及び５７４位に位置するアミノ酸を境界とする９８アミノ酸の断片、即ち以下の配列番号７８のペプチド：
【表３１】
2003534774.tif 000031
＊図８における４７７位及び５６５位に位置するアミノ酸を境界とする８９アミノ酸の断片、即ち以下の配列番号８０のペプチド：
【表３２】
2003534774.tif 000032
＊図８における５０１位及び５７４位に位置するアミノ酸を境界とする７４アミノ酸の断片、即ち以下の配列番号８２のペプチド：
【表３３】
2003534774.tif 000033
＊図８における５０１位及び５６５位に位置するアミノ酸を境界とする６５アミノ酸の断片、即ち以下の配列番号８４のペプチド：
【表３４】
2003534774.tif 000034
より選択される、シゾサッカロミセス・ポンベのＷＡＳＰ相同タンパク質タンパク質（Ｗｓｐ１ｐ）の断片
のような微生物のＷＡＳＰファミリータンパク質の断片、
●ＷＡＳＰファミリータンパク質及びそれらの断片の、請求項１において定義された特性を有する、前記のペプチド断片から、特にこれらの断片の１個以上のアミノ酸の置換、付加、又は除去により誘導されたペプチド配列
より選択される、非ヒト起源のＷＡＳＰファミリータンパク質のペプチド断片の、請求項１〜３のいずれかに記載の使用。
【請求項６】  下記：
−ＷＡＳＰファミリータンパク質又はこれらから誘導されたタンパク質に含まれるバープロリン相同ドメイン、又は該ＷＡＳＰファミリータンパク質が２個のバープロリン相同配列を含有している場合には、これらの配列のうちの少なくとも１個、又は前記のドメインから、特に１個以上のアミノ酸の置換、付加、もしくは除去により誘導され、かつアクチンと結合するこのドメインの特性を保持しているペプチド配列、
−及び、ＷＡＳＰファミリータンパク質もしくはこれらから誘導されたタンパク質に含まれるコフィリン相同ドメイン、又は前記のドメインから、特に１個以上のアミノ酸の置換、付加、もしくは除去により誘導され、かつアクチン重合に介在するというこのドメインの特性を保持しているペプチド配列、
を含むものより選択される、真核細胞、特にヒトもしくはその他の哺乳動物の細胞、もしくは昆虫、もしくは酵母のような微生物の細胞のＷＡＳＰファミリータンパク質のペプチド断片、又は請求項１において定義されたような、前記のＷＡＳＰファミリータンパク質のペプチド断片から誘導されたペプチド配列、
ただし、下記：
−図１に表されたペプチド配列の４２９〜５０３位に位置するアミノ酸を境界とするヒトＷＡＳＰタンパク質のペプチド断片、
−図１に表されたペプチド配列の１８７〜４８９位に位置するアミノ酸を境界とするヒトＷＡＳＰタンパク質のペプチド断片、
−図１に表されたペプチド配列の４２２〜４８９位に位置するアミノ酸を境界とするヒトＷＡＳＰタンパク質のペプチド断片、
−図２に表されたペプチド配列の３９２〜５０５位に位置するアミノ酸を境界とするヒトＮ−ＷＡＳＰタンパク質のペプチド断片、
−図３に表されたペプチド配列の４４３〜５５９位に位置するアミノ酸を境界とするヒトＳｃａｒ１タンパク質のペプチド断片、
−図６に表されたペプチド配列の３９２〜５０５位に位置するアミノ酸を境界とするウシＮ−ＷＡＳＰタンパク質のペプチド断片、及び３９２〜４８５位に位置するアミノ酸を境界とするペプチド断片
を除く。
【請求項７】  断片が、下記：
−下記：
・図１に表されたヒトＷＡＳＰタンパク質の配列番号２のペプチド配列の４３０位及び４４６位に位置するアミノ酸を境界とするバープロリン相同ドメイン、又は請求項３において定義されたような前記のドメインから誘導されたペプチド配列、
・及び、図１に表されたヒトＷＡＳＰタンパク質の配列番号２のペプチド配列の４６９位及び４８７位に位置するアミノ酸を境界とするコフィリン相同ドメイン、又は請求項３において定義されたような前記のドメインから誘導されたペプチド配列を含むもの、
−Ｎ末端アミノ酸が図１における４０４〜４３０位のいずれかに位置するアミノ酸に相当し、かつＣ末端アミノ酸が図１における４８７〜５０２位のいずれかに位置するアミノ酸に相当する断片、
−配列番号４、配列番号６、配列番号８、及び配列番号１０のペプチド、又は請求項４において定義されたような断片から誘導された配列
より選択される、ヒトＷＡＳＰタンパク質の請求項６に記載のペプチド断片。
【請求項８】  断片が、下記：
−下記：
・図２に表されたヒトＮ−ＷＡＳＰタンパク質の配列番号１２のペプチド配列の４０５位及び４２１位に位置するアミノ酸を境界とするバープロリン相同配列、又は請求項３において定義されたような前記のドメインから誘導されたペプチド配列、
・及び／又は、図２に表されたヒトＮ−ＷＡＳＰタンパク質の配列番号１２のペプチド配列の４３３位及び４４９位に位置するアミノ酸を境界とするバープロリン相同配列、又は請求項３において定義されたような前記のドメインから誘導されたペプチド配列、
・及び、前記のＮ−ＷＡＳＰタンパク質に含まれるコフィリン相同ドメイン、即ち図２に表されたヒトＮ−ＷＡＳＰタンパク質の配列番号１２のペプチド配列の４７０位及び４８８位に位置するアミノ酸を境界とするドメイン、又は請求項３において定義されたような前記のドメインから誘導されたペプチド配列を含むもの、
−Ｎ末端アミノ酸が図２における３９２〜４３３位のいずれかに位置するアミノ酸に相当し、かつＣ末端アミノ酸が図２における４８８〜５０５位のいずれかに位置するアミノ酸に相当する断片、
−前記の配列番号１６、配列番号１８、配列番号２０、配列番号２２、及び配列番号２４のペプチド、又は請求項４において定義されたようなこれらから誘導された配列
より選択される、ヒトＮ−ＷＡＳＰタンパク質の請求項６に記載のペプチド断片。
【請求項９】  断片が、下記：
−下記：
・図３に表されたヒトＳｃａｒ１タンパク質の配列番号２６のペプチド配列の４９７位及び５１３位に位置するアミノ酸を境界とするバープロリン相同ドメイン、又は請求項３において定義されたような前記のドメインから誘導されたペプチド配列、
・及び、図３に表されたヒトＳｃａｒ１タンパク質の配列番号２６のペプチド配列の５３１位及び５４６位に位置するアミノ酸を境界とするコフィリン相同ドメイン、又は請求項３において定義されたような前記のドメインから誘導されたペプチド配列
を含むもの、
−Ｎ末端アミノ酸が図３における４４３〜４９７位のいずれかに位置するアミノ酸に相当し、かつＣ末端アミノ酸が図３における５４６〜５５９位のいずれかに位置するアミノ酸に相当する断片、
−前記の配列番号２８、配列番号３０、配列番号３２、及び配列番号３４のペプチド、又は請求項４において定義されたようなこれらから誘導された配列
より選択される、ヒトＳｃａｒ１タンパク質の請求項６に記載のペプチド断片。
【請求項１０】  断片が、下記：
−下記：
・図４に表されたマウスＷＡＳＰタンパク質の配列番号３６のペプチド配列の４４８位及び４６５位に位置するアミノ酸を境界とするバープロリン相同ドメイン、又は請求項３において定義されたような前記のドメインから誘導されたペプチド配列、
・及び、図４に表されたマウスＷＡＳＰタンパク質の配列番号３６のペプチド配列の４８７位及び５０５位に位置するアミノ酸を境界とするコフィリン相同ドメイン、又は請求項３において定義されたような前記のドメインから誘導されたペプチド配列
を含むもの、
−Ｎ末端アミノ酸が図４における４２０〜４４８位のいずれかに位置するアミノ酸に相当し、かつＣ末端アミノ酸が図４における５０５〜５２０位のいずれかに位置するアミノ酸に相当する断片、
−前記の配列番号３８、配列番号４０、配列番号４２、及び配列番号４４のペプチド、又は請求項４において定義されたようなこれらから誘導された配列
より選択される、マウスＷＡＳＰタンパク質の請求項６に記載のペプチド断片。
【請求項１１】  断片が、下記：
−下記：
・図５に表されたラットＮ−ＷＡＳＰタンパク質の配列番号４６のペプチド配列の４０１位及び４１７位に位置するアミノ酸を境界とするバープロリン相同配列、又は請求項３において定義されたような前記のドメインから誘導されたペプチド配列、
・及び／又は、図５に表されたラットＮ−ＷＡＳＰタンパク質の配列番号４６のペプチド配列の４２９位及び４４４位に位置するアミノ酸を境界とするバープロリン相同配列、もしくは請求項３において定義されたような前記のドメインから誘導されたペプチド配列、
・及び、前記のＮ−ＷＡＳＰタンパク質に含まれるコフィリン相同ドメイン、即ち図５に表されたラットＮ−ＷＡＳＰタンパク質の配列番号４６のペプチド配列の４６６位及び４８４位に位置するアミノ酸を境界とするドメイン、又は請求項３において定義されたような前記のドメインから誘導されたペプチド配列
を含むもの、
−Ｎ末端アミノ酸が図５における４０１〜４２９位のいずれかに位置するアミノ酸に相当し、かつＣ末端アミノ酸が図５における４８４〜５０１位のいずれかに位置するアミノ酸に相当する断片、
−前記の配列番号４８、配列番号５０、配列番号５２、及び配列番号５４のペプチド、又は請求項４において定義されたようなこれらから誘導された配列
より選択される、ラットＮ−ＷＡＳＰタンパク質の請求項６に記載のペプチド断片。
【請求項１２】  断片が、下記：
−下記：
・図６に表されたウシＮ−ＷＡＳＰタンパク質の配列番号５６のペプチド配列の４０５位及び４２１位に位置するアミノ酸を境界とするバープロリン相同ドメイン、又は請求項３において定義されたような前記のドメインから誘導されたペプチド配列、
・及び／又は、図６に表されたウシＮ−ＷＡＳＰタンパク質の配列番号５６のペプチド配列の４３３位及び４８８位に位置するアミノ酸を境界とするバープロリン相同ドメイン、又は請求項３において定義されたような前記のドメインから誘導されたペプチド配列、
・並びに、図６に表されたウシＮ−ＷＡＳＰタンパク質の配列番号５６のペプチド配列の４７０位及び４８８位に位置するアミノ酸を境界とするコフィリン相同ドメイン、もしくは請求項３において定義されたような前記のドメインから誘導されたペプチド配列
を含むもの、
−Ｎ末端アミノ酸が図６における４０５〜４３３位のいずれかに位置するアミノ酸に相当し、かつＣ末端アミノ酸が図６における４８８〜５０５位のいずれかに位置するアミノ酸に相当する断片、
−前記の配列番号５８、配列番号６０、配列番号６２、及び配列番号６４のペプチド、又は請求項４において定義されたようなこれらから誘導された配列
より選択される、ウシＮ−ＷＡＳＰタンパク質の請求項６に記載のペプチド断片。
【請求項１３】  断片が、下記：
−下記：
・図７に表されたＬａｓ１７タンパク質の配列番号６６のペプチド配列の４４７位及び４６６位に位置するアミノ酸を境界とするバープロリン相同ドメイン、又は請求項３において定義されたような前記のドメインから誘導されたペプチド配列、
・及び、図７に表されたＬａｓ１７タンパク質の配列番号６６のペプチド配列の６０７位及び６２４位に位置するアミノ酸を境界とするコフィリン相同ドメイン、又は請求項３において定義されたような前記のドメインから誘導されたペプチド配列
を含むもの、
−Ｎ末端アミノ酸が図７における４２２〜４４７位のいずれかに位置するアミノ酸に相当し、かつＣ末端アミノ酸が図７における６２４〜６３３位のいずれかに位置するアミノ酸に相当する断片、より具体的には、前記の配列番号６８、配列番号７０、配列番号７２、及び配列番号７４のペプチド、又は請求項４において定義されたようなこれらから誘導された配列
より選択される、サッカロミセス・セレビシエＬａｓ１７タンパク質の請求項６に記載のペプチド断片。
【請求項１４】  断片が、下記：
−下記：
・図８に表されたシゾサッカロミセス・ポンベのＷＡＳＰ相同タンパク質タンパク質（Ｗｓｐ１ｐ）の配列番号７６のペプチド配列の５０１位及び５１７位に位置するアミノ酸を境界とするバープロリン相同ドメイン、又は請求項３において定義されたような前記のドメインから誘導されたペプチド配列、
・及び、図８に表されたシゾサッカロミセス・ポンベのＷＡＳＰ相同タンパク質（Ｗｓｐ１ｐ）の配列番号７６のペプチド配列の５４８位及び５６５位に位置するアミノ酸を境界とするコフィリン相同ドメイン、又は請求項３において定義されたような前記のドメインから誘導されたペプチド配列を含むもの、
−Ｎ末端アミノ酸が図８における４７７〜５０１位のいずれかに位置するアミノ酸に相当し、かつＣ末端アミノ酸が図８における５６５〜５７４位のいずれかに位置するアミノ酸に相当する断片、
−前記の配列番号７８、配列番号８０、配列番号８２、及び配列番号８４のペプチド、又は請求項４において定義されたようなこれらから誘導された配列
より選択される、シゾサッカロミセス・ポンベのＷＡＳＰ相同タンパク質（Ｗｓｐ１ｐ）の請求項６に記載のペプチド断片。
【請求項１５】  請求項６〜１４のいずれか一項において定義されたペプチド断片、又はそれらから誘導されたタンパク質をコードするヌクレオチド配列。
【請求項１６】  アクチン細胞骨格の形成に対する阻害効果又は刺激効果を有し、それゆえに細胞運動性に対する阻害効果又は刺激効果を有する分子の検出又はスクリーニングのための方法の実施のための試薬であって、断片と結合した支持体がアクチン重合に必要な因子を含有する媒体中に置かれたとき、特に該支持体が生物由来の溶解した細胞の上清から調製された抽出物に添加されたとき、アクチン重合の効果の下で運動する能力を有する支持体に結合又は吸着した、請求項１〜１４のいずれかにおいて定義されたペプチド断片を少なくとも１個含む試薬。
【請求項１７】  約１００〜約１０，０００nmの直径を有するマイクロスフェアより選択されることを特徴とする、請求項１６記載の試薬であって、マイクロスフェアを構成する材料自体が、ポリスチレン又はラテックスより選択され、各マイクロスフェアが、請求項１〜１４のいずれかに記載の断片又は誘導配列を約５，０００〜５０，０００分子含有している、試薬。
【請求項１８】  アクチン細胞骨格の形成に対する阻害効果又は刺激効果を有し、それゆえに細胞運動性に対する阻害効果又は刺激効果を有する分子の検出又はスクリーニングのための方法であって、
−請求項１６又は１７に記載の試薬の存在下で、アクチン及びアクチン重合に必要な因子を含有する媒体、特に溶解した細胞の上清の抽出物へと被検分子を置く工程、
−次いで、それぞれアクチン細胞骨格の形成に対する阻害効果又は刺激効果を示す対照と比較した、該試薬の表面におけるアクチン重合過程の阻害又は活性化の最終的な検出工程
を含む方法。
【請求項１９】  下記：
−アクチン細胞骨格の形成に関するアクチン重合過程の機能異常と関連した病理の治療における医薬品、特に転移性癌の治療における医薬品、もしくは抗寄生虫抗生物質として使用されうる分子、
−又は、細胞骨格の形成の阻害もしくは刺激に相当する細胞障害効果を有することができる分子
の検出又はスクリーニングに適用される、請求項１８に記載の方法。
【請求項２０】  下記：
−請求項１６又は１７に記載の試薬、
−場合によりアクチンの重合の可視化を可能にする標識された化合物、特に蛍光標識されたアクチン、
−場合によりアクチン重合に必要な因子を含有する適当な媒体、特に溶解した細胞の抽出物
を含む、請求項１８又は１９に記載の方法の実施のためのキット。